(57)【要約】本発明はソース基地局からターゲット基地局への移動体装置のハンドオーバーを実行するための方法を提供する。ソース基地局は移動体装置がターゲット基地局にハンドオーバーされるべきと判断する。ターゲット基地局はターゲット基地局に対応付けられたアップリンクパワー制御パラメータをソース基地局に送信し、それがそのパラメータを移動体装置に送信する。
2011511482.tif 000002
【特許請求の範囲】
【請求項１】
ソース基地局からターゲット基地局への移動体装置のハンドオーバーを実行するための方法であって、
ソース基地局によって移動体装置のハンドオーバー要求を開始するステップ、
ターゲット基地局への該移動体装置のハンドオーバーの完了前に、該ターゲット基地局に対応付けられたアップリンクパワー制御パラメータをソース基地局に送信するステップ、及び
該アップリンクパワー制御パラメータを該ソース基地局から移動体装置に送信するステップ
を備える方法。
【請求項２】
請求項１のソース基地局からターゲット基地局への移動体装置のハンドオーバーを実行するための方法において、前記ターゲット基地局への該移動体装置のハンドオーバーの完了前に該ターゲット基地局に対応付けられたアップリンクパワー制御パラメータをソース基地局に送信するステップが、ハンドオーバー要求確認メッセージの一部として、ターゲット基地局に対応付けられたアップリンクパワー制御パラメータをソース基地局に送信することからなる、方法。
【請求項３】
請求項１のソース基地局からターゲット基地局への移動体装置のハンドオーバーを実行するための方法において、前記該アップリンクパワー制御パラメータを該ソース基地局から移動体装置に送信するステップが、ハンドオーバー命令の一部としてアップリンクパワー制御パラメータを該ソース基地局から移動体装置に送信することからなる、方法。
【請求項４】
請求項１のソース基地局からターゲット基地局への移動体装置のハンドオーバーを実行するための方法において、前記アップリンクパワー制御パラメータが該ターゲット基地局でのアップリンク干渉レベルを含む、方法。
【請求項５】
請求項１のソース基地局からターゲット基地局への移動体装置のハンドオーバーを実行するための方法において、前記アップリンクパワー制御パラメータが該ターゲット基地局での目標信号対干渉＋ノイズ比（ＳＩＮＲ）を含む、方法。
【請求項６】
請求項１のソース基地局からターゲット基地局への移動体装置のハンドオーバーを実行するための方法において、前記アップリンクパワー制御パラメータが該ターゲット基地局での断片的なパワー制御パラメータを含む、方法。
【請求項７】
請求項１のソース基地局からターゲット基地局への移動体装置のハンドオーバーを実行するための方法であって、さらに、該移動体装置と該ターゲット基地局間の経路損失測定値を該移動体装置から送信するステップを備える方法。
【請求項８】
請求項７のソース基地局からターゲット基地局への移動体装置のハンドオーバーを実行するための方法であって、さらに、該移動体装置と該ターゲット基地局間で送信する際に前記経路損失測定値を利用するステップを備える方法。
【請求項９】
請求項１のソース基地局からターゲット基地局への移動体装置のハンドオーバーを実行するための方法であって、さらに、前記アップリンクパワー制御パラメータを用いて該移動体装置から該ターゲット基地局へ送信を行うステップを備える方法。
【請求項１０】
請求項１のソース基地局からターゲット基地局への移動体装置のハンドオーバーを実行するための方法であって、さらに、前記アップリンクパワー制御パラメータ及び該移動体装置と該ターゲット基地局間の経路損失測定値を用いて該移動体装置から該ターゲット基地局へ送信を行うステップを備える方法。
【発明の詳細な説明】
【技術分野】
【０００１】
本発明は概略として無線通信システムに関し、より具体的には通信システムにおけるハンドオーバーに関する。
【背景技術】
【０００２】
移動体装置は、ユーザ機器又は通信装置ともいわれ、第１の（ソース）基地局のカバレッジエリアから第２の（ターゲット）基地局のカバレッジエリアに移動することができる。第１の基地局から第２の基地局に制御を受け渡す処理はよくハンドオーバー又はハンドオフといわれる。
【０００３】
ハンドオーバーによって移動体装置はセルラネットワーク内で及びその外部でさえも移動する機能が可能となるが、ハンドオーバー中に発生する問題がある。ハンドオーバーの問題とは、移動体装置と第２の基地局の間の接続の遅延、及びターゲット基地局への移動の際に移動体装置が正しくないパワーレベルで送信を行ってしまうこと等である。
【０００４】
従来技術の第１の解決手段は、ターゲット基地局から適切なパワー制御パラメータを取得するために４０−１００ｍｓを待つことを関与させる。しかし、これは、ＩＰ上でのゲーム及びボイスオーバーＩＰのような遅延に敏感なアプリケーションに対してスループットの損失及び／又は廃棄パケットの原因となってしまう。第２の解決手段は単純に移動体装置にソース基地局で使用していたパワー設定で送信を行わせることである。しかし、アップリンクパワー制御パラメータの潜在的な差だけでなく異なる基地局におけるアップリンク干渉条件の潜在的な差を考慮すると、移動体装置は適切なパワーレベルで送信しなくなることになる。高過ぎるパワーレベルは過度の干渉をもたらし、それゆえシステムパフォーマンスの低下をもたらす一方で、低過ぎるパワーレベルはユーザに対してサービス品質の劣化をもたらしてしまう。
【０００５】
旧来のＵＭＴＳシステムと比べて大きく異なる３ＧＰＰのＬＴＥ（ロングタームエボリューション）の鍵となる２つの特徴は、アップリンクではソフトハンドオーバーがサポートされていないこと、及びアップリンクではオープンループのパワー制御が用いられることである。ソフトハンドオーバーがサポートされていないということは、移動体装置が現在のサービング基地局を切断し、その後ターゲット基地局に再接続してその送信を再開しなければならないことを示唆している。
【０００６】
オープンアップリンクパワー制御を用いるということは、移動体装置はサービング基地局での所定の目標信号対干渉＋ノイズ比（ＳＩＮＲ）を達成するためにその送信パワーを独立して調整することを示唆している。
【０００７】
従って、３ＧＰＰ＿ＬＴＥシステムでは、ＵＥが現在のサービング基地局からターゲット基地局に切り替えた後に適切なパワーレベルで送信できるようになる前に、潜在的に長い手順が実行される必要がある。
【０００８】
適切な送信パワーが決定されるまで送信を遅らせる結果として余計な遅延が起こり、スループットの損失を招く。ボイスオーバーＩＰ（ＶｏＩＰ）又は映像電話（ＶＴ）のような遅延に敏感なアプリケーションに対して、この余計な遅延は廃棄音声パケットをもたらし、セル切り替え中の許容できない音声品質の原因となる。また、ＵＥは単にターゲット基地局に切り替えた後もソース基地局と送信していたパワーレベルで送信することもできるが、これはパワーレベルが高過ぎる場合は不要に高いレベルの干渉をもたらし、又はパワーレベルが低過ぎる場合はサービス品質（ＱｏＳ）が劣化することになる。
【０００９】
従って、ハンドオーバーの際の送信の遅延、廃棄音声パケット、許容できない音声品質、又は増加した干渉レベルの原因とならないようなハンドオーバーを実行する方法へのニーズが存在する。
【発明の概要】
【課題を解決するための手段】
【００１０】
本発明は、ハンドオーバーの完了の前にアップリンクパワー制御パラメータを移動体装置に送信することによって従来技術の問題に対する解決手段を提供する。
【００１１】
本発明の実施例では、ターゲット基地局からの転送アップリンクパワー制御パラメータがハンドオーバー手順中にソース基地局によって移動体装置に送信される。これによって移動体装置が新たなターゲット基地局への適切なパワー設定での送信を直ちに開始するのに必要な全てのパラメータを持つことが可能となり、適切なパワー制御パラメータを取得するために待つことや、正しくないパワー設定で送信してしまうことといった問題を回避できる。
【００１２】
それにより本発明では、移動体装置は適切なアップリンクパワーレベルで送信する前に新たなターゲット基地局にブロードキャストされるパワー制御パラメータを待つ必要がなくなる。これによって基地局へのハンドオーバー中の４０ｍｓから１００ｍｓの遅延を除くことができる。これは、移動体装置が新たな基地局と同期した直後に適切なパワー設定で送信することを可能とし、これによって、パワー制御パラメータが利用可能となるまで移動体が正しくないパワー設定で送信し又は送信を遅延させることによって引き起こされていたＱｏＳの劣化又は過度の干渉の発生を回避できる。
【図面の簡単な説明】
【００１３】
【図１】図は本発明の実施例による通信装置、ソース基地局及びターゲット基地局間のメッセージフローを示す。
【発明を実施するための形態】
【００１４】
図は本発明の実施例によるユーザ機器（ＵＥ）１０１、ソース基地局１０３及びターゲット基地局１０５の間のメッセージフロー１００を示す。図はハンドオーバー手順中にアップリンクパワー制御設定がターゲット基地局からソース基地局を介して移動体装置に転送される本発明の実施例を示す。これによって、移動体装置がターゲット基地局に接続した直後に適切なパワー設定で送信することが可能となり、４０−１００ｍｓの遅延を除くことができる。
【００１５】
ＵＥ１００は測定報告メッセージ１１１をソース基地局１０３に送信する。測定報告メッセージ１１１は好ましくは、ＵＥ１０１が他の基地局にハンドオフされるべきかを判断する際にソース基地局１０３を補助するのに有用なパラメータを含む。実施例では、測定報告メッセージ１１１はＵＥ１０１がソース基地局１０３から測定する経路損失及びＵＥ１０１がターゲット基地局１０５から測定する経路損失を含む。さらに、測定報告メッセージ１１１は好ましくはターゲット基地局１０５の識別を含む。
【００１６】
ソース基地局１０３は測定報告メッセージ１１１で送られた測定値を評価し、ＵＥ１０１がターゲット基地局１０５に受け渡されるべきかを判断する（１１２）。このハンドオーバーの判断は、例えば、ＵＥ１０１とターゲット基地局１０５間の経路損失がＵＥ１０１とソース基地局１０３間の経路損失よりも充分に小さいときにハンドオーバー決定を行うものとすることができる。この例では、経路損失が所定の閾値を超える場合に、ソース基地局１０３はＵＥ１０１がターゲット基地局１０５にハンドオーバーされるべきとの判断を下す。
【００１７】
ＵＥ１０１のターゲット基地局１０５へのハンドオーバーが保障されているとソース基地局１０３が判断した場合、ソース基地局１０３はハンドオーバー要求メッセージ１１３をターゲット基地局１０５に送信する。実施例では、ハンドオーバー要求メッセージ１１３は、通信ネットワーク内で基地局に好適に接続するＸ２インターフェイスを介して送信される。実施例では、ハンドオーバー要求メッセージ１１３はサービス品質（ＱｏＳ）属性のようなＵＥ１０１の接続に関係する情報も含む。
【００１８】
ターゲット基地局１０５はアドミッション制御を実行して（１１４）それがＵＥ１０１をサポートできるかどうかを評価する。実施例では、ターゲット基地局１０５はターゲット基地局１０５でのリソースの現在の負荷及び利用可能性を利用してそれがＵＥ１０１を上手く取り扱えるかを判断する。
【００１９】
ターゲット基地局１０５はハンドオーバー要求ＡＣＫメッセージ１１５をソース基地局１０３に送信する。ターゲット基地局１０５がそれがＵＥ１０１のハンドオーバーを受け入れると判断した場合、ハンドオーバー要求ＡＣＫメッセージ１１５はブロードキャストメッセージで送信するアップリンクパワー制御パラメータを含む。例えば、ハンドオーバー要求ＡＣＫメッセージ１１５は好ましくは、ターゲット基地局１０５でのアップリンク干渉レベルを含む。例えば、ハンドオーバー要求ＡＣＫメッセージ１１５は好ましくは、ターゲット基地局１０５でのアップリンク干渉レベル及びターゲット基地局１０５での目標信号対干渉＋ノイズ比（ＳＮＲ）を含む。
【００２０】
ソース基地局１０３はハンドオーバー命令メッセージ１１６をＵＥ１０１に送信する。ハンドオーバー命令メッセージ１１６はＵＥ１０１にターゲット基地局１０５に接続するように通知し、ターゲット基地局１０５についてのアップリンクパワー制御パラメータを含む。
【００２１】
その後ＵＥ１０１はソース基地局１０３から切り離されてターゲット基地局１０５と同期する（１１７）。同期は好ましくはターゲット基地局１０５とのランダムアクセス手順を含む。この手順はアップリンクにおけるＵＥ１０１に対する適切なタイミングを取得するものである。実施例では、同期手順は３０から４０ミリ秒オーダーの送信の中断をもたらすが、それは従来技術におけるサービスの中断よりもはるかに短い。
【００２２】
ＵＥ１０１は、ＵＥ１０１がハンドオーバー命令メッセージ１１６で受信したターゲット基地局１０５についてのアップリンクパワー制御パラメータを用いて正しいパワーレベルで初期メッセージ１１８を送信する。
【００２３】
本発明がその特定の例を参照して説明したが、それは上記の説明ではなく以降の特許請求の範囲に記載される程度に限定されることが意図される。
【図１】
2011511482.tif 000003
【国際調査報告】
2011511482.tif 000004
2011511482.tif 000005